(57)【要約】【課題】既設のＧ１３照明器具を利用しつつ、一般需用者が誤って対応しないランプに取り替えられないようにする留め具を提供することである。【解決手段】口金ピンが日本ＪＩＳ規格Ｇ１３口金の口金ピンのＬＥＤランプが装着され、外周面に形成されたソケット切欠から口金ピンを挿入し、ＬＥＤランプの回転操作によって口金ピンの端子に接続できるソケットに取り付けられ、ＬＥＤランプの着脱を規制する留め具であって、留め具は、ＬＥＤランプとソケットとの間に差し込まれる平板形状であり、口金ピンが差し込める貫通孔が形成された差込部と、差し込み部から所定の角度をなして形成され、略中央に貫通するナット部が形成され、ＬＥＤランプの回転操作に合わせて揺動しソケット切欠を覆う被覆部と、ナット部にねじ込まれ、被覆部を貫通した雄ネジ部がソケット切欠に挿入されＬＥＤランプの回転を規制するネジ体とからなることを特徴とする留め具。【選択図】図３
2014143157.tif 000002
【特許請求の範囲】
【請求項１】
口金ピン（３）が日本工業規格で規定されているＧ１３口金の口金ピンが設けられている直管形のＬＥＤランプ（１）が装着され、外周面に形成されたソケット切欠（３０）から前記口金ピン（３）を挿入し、前記ＬＥＤランプ（１）の回転操作によって前記口金ピン（３）を給電用の端子（４０）に電気的に接続できるソケット（Ｓ）に取り付けられ、前記ＬＥＤランプ（１）の着脱を規制する留め具であって、
前記留め具は、
前記ＬＥＤランプ（１）と前記ソケット（Ｓ）との間に差し込まれる平板形状であり、前記口金ピン（３）が差し込める貫通孔（１１１）が形成された差込部（１１０）と、
前記差込部（１１０）の一端から所定の角度をなして形成され、略中央に貫通するナット部（１３０）が形成され、前記ＬＥＤランプ（１）の回転操作に合わせて揺動して前記ソケット切欠（３０）を覆う被覆部（１２０）と、
前記ナット部（１３０）にねじ込まれ、前記被覆部（１２０）を貫通した雄ネジ部（１４１）が前記ソケット切欠（３０）に挿入され前記ＬＥＤランプ（１）の回転を規制するネジ体（１４０）とからなる
ことを特徴とする留め具。
【請求項２】
請求項１に記載の留め具において、
前記貫通孔（１１１）は、前記ナット部（１３０）の中心を通る中心軸線と直交する第二軸線（Ｌ２）上に位置するように前記差込部（１１０）に２つ形成されている
ことを特徴とする留め具。
【請求項３】
請求項１又は２項に記載の留め具において、
前記差込部（１１０）、被覆部（１２０）、及びネジ体（１４０）の少なくとも一つは、電気的絶縁性を備えた部材で形成されている
ことを特徴とする留め具。
【請求項４】
請求項１〜３のいずれか１項に記載の留め具において、
前記留め具は、断面形状がＬ字形状を有するものであり、前記Ｌ字形状の一端が差込部（１１０）であり、他端が被覆部（１２０）である
ことを特徴とする留め具。
【請求項５】
請求項１〜４のいずれか１項に記載の留め具を使用した照明器具。
【請求項６】
口金ピン（３）が日本工業規格で規定されているＧ１３口金の口金ピンが設けられている直管形のＬＥＤランプ（１）が装着され、ソケット本体（３１０）の外周面に形成されたソケット切欠（３３０）から前記口金ピン（３）を挿入し、前記ＬＥＤランプ（１）の回転操作によって前記口金ピン（３）を給電用の端子（４４０）に電気的に接続できるソケット（Ｓ２）であって、
前記ソケット本体（３１０）に装着され、前記ＬＥＤランプ（１）の回転操作に合わせて回転する回転子（３２０）と、
前記回転子（３２０）と一体に形成され、前記ソケット本体（３１０）と前記ＬＥＤランプとの間に備えられ、前記回転子（３２０）の回転に合わせて揺動する平板形状の平板部（４１０）と、
前記平板部（４１０）の一端から所定の角度をなして形成され、略中央に貫通するナット部（４３０）が形成され、前記回転子（３２０）の回転に合わせて揺動して前記ソケット切欠（３３０）を覆う被覆部（４２０）と、
前記ナット部（４３０）にねじ込まれ、前記被覆部（４２０）を貫通した雄ネジ部（４４１）が前記ソケット切欠（３３０）に挿入され前記ＬＥＤランプ（１）の回転を規制するネジ体（４４０）とを備えた
ことを特徴とするソケット。
【請求項７】
請求項６に記載のソケットを使用した照明器具。
【発明の詳細な説明】
【技術分野】
【０００１】
本発明は、留め具、ソケット及びこれらのいずれかを備えた照明器具である。さらに詳しくは、一般需用者がＬＥＤランプを容易に取り外すことができないように規制する留め具、ソケット及びこれらのいずれかを備えた照明器具に関する。
【背景技術】
【０００２】
従来、天井に直付けするタイプの照明器具や天井に埋込むタイプの照明器具には、直管形の蛍光ランプを用いたものが主流であった。近年、発光ダイオード（以下、単に「ＬＥＤ」という。）を光源とした直管形のＬＥＤランプ（以下、単に「ＬＥＤランプ」という。）が提供されはじめている。これにともない、蛍光ランプを用いる照明器具（以下、「蛍光照明器具」という。）をＬＥＤランプを用いる照明器具（以下、「ＬＥＤ照明器具」という。）に取替える取替工事が行なわれている。このような取替工事が行なわれるのは、ＬＥＤランプは、蛍光ランプに比べて消費電力が少なく、省エネルギーであるとともに、長寿命であるため交換の頻度を少なくすることができるからである。
【０００３】
つまり、照明効率の高いＬＥＤランプに取り替えることが可能ならば、照明に使用するエネルギーの節約が可能となるからである。このようなＬＥＤランプの構造や取替工事には、特に規制がなく、照明器具製造業者、照明器具設置業者又は照明器具販売業者（以下、「取引者」という。）等の間で、製品や工事方法について統一されていない状況である。このような状況の中、Ｇ１３の口金（日本工業規格であるＪＩＳ Ｃ ７７０９−１で規定された口金）の口金ピン（以下、「Ｇ１３口金ピン」という。）を備えるＬＥＤランプ（以下、「Ｇ１３ＬＥＤランプ」という。）が多く製造され、それに対応する照明器具（以下、「Ｇ１３照明器具」という。）に取り替える取替工事が多く行なわれている。
【０００４】
このような取替工事は、既設の蛍光ランプ等を使用していた既設の照明器具から安定器を外して、ソケットに直接電流を流せるようにする工事だけで良い。また、既設の照明器具に取り付けられたＧ１３口金ピンに対応するソケット（以下、「Ｇ１３ソケット」という。）は、そのまま利用することができる。このような取替工事は、既設のＧ１３照明器具の部品をすべて交換する必要がなく、簡易であり、かつ、工事のコストを抑えられる。しかしその反面、各取引者のＧ１３ＬＥＤランプやＧ１３照明器具によっては、工事の方式が異なる場合が生じている。例えば、一のＧ１３ＬＥＤランプは、交流電流を直流電流に変換して、電圧、電流を内部のＬＥＤの仕様に合わせる回路を内蔵しているものがある。
【０００５】
このＧ１３ＬＥＤランプを使用するためには、ソケットに電流を直接流すような取替工事が必要である。一方、他のＧ１３ＬＥＤランプは、交流電流をＬＥＤに合わせて変換する器具が内蔵されておらず別に付属されているものがある。このＧ１３ＬＥＤランプを使用するためには、既設の照明器具の安定器を外して、付属の器具を取り付けて配線する取替工事が必要である。つまり、同じＧ１３ソケットであっても、流れる電流の種類が異なる場合がある。このように同じＧ１３ソケットが取り付けられたＧ１３照明器具であっても、異なるＧ１３ＬＥＤランプを取り付ける必要があり、異なる取替工事を行なわなければならない状況にある。
【０００６】
しかし、取替工事後のＧ１３ソケットの形だけを見ても、どの種類のＧ１３照明器具であり、どの種類の電流が流れてくるのかは分からないため、Ｇ１３ＬＥＤランプの取替作業は気を付けなければならない。例えば、Ｇ１３ＬＥＤランプの取替作業は、Ｇ１３照明器具の種類又は取替工事の方式にあわせて行なわないと、Ｇ１３ＬＥＤランプが点灯しなかったり、最悪の場合として人体への感電、火災のリスク、電子機器誤動作、電波障害等の事故が生じてしまう。
【０００７】
専門家たる取引者は、Ｇ１３ＬＥＤランプやＧ１３照明器具の対応状況を確認した上でＧ１３ＬＥＤランプの取替を作業をすることできると考えられるが、一般需用者が必ずそれができるとは限らない。一般需用者が誤って対応しないＧ１３照明器具にＧ１３ＬＥＤランプや従来の蛍光ランプに取り替えてしまう取替作業を防ぐ必要がある。また、Ｇ１３ＬＥＤランプは、蛍光ランプに比べて内蔵する部品点数が多くなるため重くなっている。
【０００８】
このため、蛍光ランプに比べてＧ１３ＬＥＤランプは、照明器具から落下する可能性が大きくなっている。近年、一般需用者が、誤った取り替え作業を行なわないように様々なＧ１３照明器具やＧ１３照明ランプが開発されている。また、一般需用者が、容易にＧ１３ＬＥＤランプを外せないように様々なＧ１３ＬＥＤランプ留め具が開発されている。さらに、Ｇ１３照明器具やＧ１３ＬＥＤランプ留め具を用いたものについて特許文献を基に、従来の技術を説明する。
【０００９】
引用文献１には、発光素子ランプのソケット部への誤接続を防止しうる照明器具が開示されている。引用文献２には、誤装着を防止したランプ、ランプソケット及びそれらを用いた照明器具が開示されている。引用文献３には、既存の直管形蛍光灯において、本体のソケット構造が「突き合わせ型」、「回し込み型」のいずれのタイプであっても、蛍光灯本体からの蛍光管の落下を蛍光灯本体の改造を要することなく、確実かつ簡易に防止できる蛍光管落下防止具が開示されている。
【００１０】
引用文献４には、直管形ＬＥＤ照明を確実に保持することにより落下の危険性をなくし、しかも、着脱が比較的簡単にできる落下防止器具が開示されている。引用文献５には、直管形ＬＥＤ照明を確実に保持することにより落下の危険性をなくし、しかも、着脱が比較的簡単にできる落下防止器具が開示されている。
【先行技術文献】
【特許文献】
【００１１】
【特許文献１】特開２０１１−１３８６８１号公報
【特許文献２】特開２０１２−１０４３５７号公報
【特許文献３】特開２０１１−３４９０８号公報
【特許文献４】実用新案登録第３１６６９２７号公報
【特許文献５】実用新案登録第３１６５５２８号公報
【発明の概要】
【発明が解決しようとする課題】
【００１２】
しかしながら、前述した特許文献１又は２に記載された技術では、口金部分やソケット部分に新たなものを取り付けなければならないため、手間がかかる上に工事のコストもかかるという問題があった。特許文献３に記載された技術では、蛍光管挟持部材とソケット支持部材が口金とソケットを挟持しているだけで、誰でも簡単に取り外しができてしまうという問題があった。
【００１３】
特許文献４又は５に記載された技術では、落下防止器具や係止バンドは、管体に直接取り付けられるため、設置のときに管体を傷つけたり、破損させてしまうおそれがあった。このため、既存のＧ１３ソケットを備えたＧ１３照明器具を利用しつつ、誤って対応しない異なるＧ１３ＬＥＤランプに取り替えられないことが望まれていた。また、Ｇ１３照明器具用の留め具として、Ｇ１３ＬＥＤランプを取り替える際に一般需用者が容易に取り外すことができない留め具やソケットが望まれていた。
【００１４】
本発明は、前述した課題を解決するためになされたもので、次の目的を達成する。既設のＧ１３照明器具を利用しつつ、一般需用者が誤って対応しないランプに取り替えられないようにする留め具やソケットを提供することである。また、本発明の他の目的は、一般需用者が工具を用いることなくＧ１３ＬＥＤランプを容易に取り外すことができないように規制することができる留め具やソケットを提供することである。さらに、本発明の他の目的は、Ｇ１３ＬＥＤランプを締め付けることなく、固定することができる留め具を提供することである。
【課題を解決するための手段】
【００１５】
本発明は、前記目的を達成するために次の手段をとる。
本発明１の留め具は、口金ピンが日本工業規格で規定されているＧ１３口金の口金ピンが設けられている直管形のＬＥＤランプが装着され、外周面に形成されたソケット切欠から前記口金ピンを挿入し、前記ＬＥＤランプの回転操作によって前記口金ピンを給電用の端子に電気的に接続できるソケットに取り付けられ、前記ＬＥＤランプの着脱を規制する留め具であって、前記留め具は、前記ＬＥＤランプと前記ソケットとの間に差し込まれる平板形状であり、前記口金ピンが差し込める貫通孔が形成された差込部と、前記差込部の一端から所定の角度をなして形成され、略中央に貫通するナット部が形成され、前記ＬＥＤランプの回転操作に合わせて揺動して前記ソケット切欠を覆う被覆部と、前記ナット部にねじ込まれ、前記被覆部を貫通した雄ネジ部が前記ソケット切欠に挿入され前記ＬＥＤランプの回転を規制するネジ体とからなることを特徴とする。
【００１６】
本発明２の留め具は、本発明の１において、前記貫通孔は、前記ナット部の中心を通る中心軸線と直交する第二軸線上に位置するように前記差込部に２つ形成されていることを特徴とする。
【００１７】
本発明３の留め具は、本発明の１又は２において、前記差込部、被覆部、及びネジ体の少なくとも一つは、電気的絶縁性を備えた部材で形成されていることを特徴とする。
【００１８】
本発明４の留め具は、本発明の１〜３のいずれか１において、断面形状がＬ字形状を有するものであり、前記Ｌ字形状の一端が差込部であり、他端が被覆部であることを特徴とする。
【００１９】
本発明５の照明器具は、本発明の１〜４に記載の留め具を使用した照明器具である。
【００２０】
本発明６のソケットは、口金ピンが日本工業規格で規定されているＧ１３口金の口金ピンが設けられている直管形のＬＥＤランプが装着され、ソケット本体の外周面に形成されたソケット切欠から前記口金ピンを挿入し、前記ＬＥＤランプの回転操作によって前記口金ピンを給電用の端子に電気的に接続できるソケットであって、前記ソケット本体に装着され、前記ＬＥＤランプの回転操作に合わせて回転する回転子と、前記回転子と一体に形成され、前記ソケット本体と前記ＬＥＤランプとの間に備えられ、前記回転子の回転に合わせて揺動する平板形状の平板部と、前記平板部の一端から所定の角度をなして形成され、略中央に貫通するナット部が形成され、前記回転子の回転に合わせて揺動して前記ソケット切欠を覆う被覆部と、前記ナット部にねじ込まれ、前記被覆部を貫通した雄ネジ部が前記ソケット切欠に挿入され前記ＬＥＤランプの回転を規制するネジ体とを備えたことを特徴とする。
【００２１】
本発明７の照明器具は、本発明の６に記載のソケットを使用した照明器具である。
【発明の効果】
【００２２】
以上説明したように、本発明の留め具は、既設のＧ１３照明器具を利用しつつ、一般需用者が誤って対応しないランプに取り替えられないようにすることができる。また、本発明の留め具は、一般需用者が工具を用いることなくＧ１３ＬＥＤランプを容易に取り外すことができないように規制することができるようになった。さらに、本発明の留め具は、Ｇ１３ＬＥＤランプを締め付けることなく、固定することができるようになった。
【図面の簡単な説明】
【００２３】
【図１】図１は、実施の形態１の留め具１を照明器具Ｌに固定した状態を示す外観図である。
【図２】図２は、留め具１をソケットとＬＥＤランプの間に設置した状態を示す側面図である。
【図３】図３は、図２をＡ−Ａ線で切断した断面図である。
【図４】図４は、回転子切欠２３とソケット切欠３０とが連なっている状態のソケットの三面を示す図である。
【図５】図５は、回転子切欠２３とソケット切欠３０とが連なっていない状態のソケットの三面を示す図である。
【図６】図６は、留め具の正面及び側面を示す図である。
【００２４】
【図７】図７は、留め具をＬＥＤランプに取り付ける状態を示す正面図及び側面図である。
【図８】図８は、実施の形態２の留め具の正面図である。
【図９】図９は、実施の形態３のソケットＳ２の回転子切欠３２３とソケット切欠３３０とが連なっている状態を示す図である。
【図１０】図１０は、回転子切欠３２３とソケット切欠３３０とが連なっていない状態のソケットＳ２を示す図である。
【図１１】図１１は、ソケットＳ２にＬＥＤランプを取り付ける状態を示す正面図及び側面図である。
【発明を実施するための形態】
【００２５】
〔実施の形態１〕
以下、本発明の留め具について、実施の形態１として図面に基づいて説明する。図１は、実施の形態１の留め具を照明器具に固定した状態を示す外観図である。図２は、留め具１００をソケットとＬＥＤランプの間に設置した状態を示す側面図である。図３は、図２をＡ−Ａ線で切断した断面図である。図４は、回転子切欠２３とソケット切欠３０とが連なっている状態のソケットの三面を示す図である。図５は、回転子切欠２３とソケット切欠３０とが連なっていない状態のソケットの三面を示す図である。図６は、留め具の正面及び側面を示す図である。
【００２６】
図１において示すように、天井側方向を示す矢印Ｕ方向を「上方向」とし、その逆方向である床側方向を示す矢印Ｄ方向を「下方向」として説明する。照明器具Ｌの長手方向の一端側方向を示す矢印Ａ方向を「前方向」とし、その逆方向である後矢印Ｂ方向を「後方向」として説明を行う。また、水平面内で前後方向（長手方向）と直交する一の方向を示す矢印Ｌ方向を「左方向」とし、直交する他の方向を示す矢印Ｒ方向を「右方向」として説明を行う。さらに、左右対称のソケット本体１０の対称軸であり、開口部１１の中心を通る上方向から下方向に延びる線を中心線ＣＬ（図４、５参照）として説明する。
【００２７】
口金ピン３が、ソケットＳから外されており、回転子切欠２３とソケット切欠３０が連なっているソケットＳの状態を「開通状態」（図７（ａ）参照）として説明する。また、口金ピン３が、ソケットＳに挿入され、一組の回転子切欠２３に配置されているソケットＳの状態を「差込状態」（図７（ｃ）参照）として説明する。さらに、口金ピン３が、ソケットＳに挿入され、回転子２０が回転されて、ＬＥＤランプ１が固定されているソケットＳの状態を「固定状態」（図７（ｄ）参照）として説明する。まず、本発明の実施の形態１を留め具１００が取り付けられた照明器具Ｌに基づいて説明する。
【００２８】
〔照明器具Ｌ〕
図１に示すように、照明器具Ｌは、天井Ｒに埋め込まれている天井埋込形照明器具であり、天板、端板及び側板とで区画されて収納空間が形成されている。照明器具Ｌは、天板と対向する面が開口された平たい略箱形形状に形成されたものであり、天板が天井に取り付けられた吊下ボルト等に固定されて配置されている。照明器具Ｌの収納空間は、照明器具Ｌの内部に反射板やＬＥＤランプ１が設置できるように形成されたものである。
【００２９】
図１に示すように、照明器具Ｌは、Ｇ１３ＬＥＤランプであるＬＥＤランプ１が取り付けられるように、長手方向両端に設けられた端板にＧ１３ソケットであるソケットＳが２個ずつ取り付けられている。照明器具Ｌは、既設の蛍光ランプ等を使用していた既設の照明器具から安定器を外して、ソケットＳに直接電流を流せる工事を行なったＧ１３照明器具である。
【００３０】
〔ＬＥＤランプ１〕
図２に示すように、ＬＥＤランプ１は、口金２、口金ピン３及びカバー４等とから構成され、カバー４の内部にＬＥＤ６が配置された基板５を用いた直管形の蛍光灯状の照明灯である。ＬＥＤランプ１は、長手方向の両端の口金２に取り付けられた２本の口金ピン３が、日本工業規格ＪＩＳ Ｃ ７７０９−１で規定されたＧ１３口金に対応するように形成されている。つまり、ＬＥＤランプ１は、口金２の口金ピン３の中心間の間隔（以下、「ピン間隔」という。）が１２．７０ｍｍであり、口金ピンの径の寸法が２．２９〜２．４４ｍｍである。ＬＥＤランプ１は、交流電流を直流電流に変換して、電圧、電流をＬＥＤ６の仕様に合わせる回路を内蔵している。
【００３１】
図２又は３に示すように、カバー４は、基板５を覆う円筒形状のカバーである。カバー４は、従来、照明器具の光源として使用されてきた蛍光灯等のガラス管に相当するものであり、照明光を拡散させて均一な照明光とするものである。カバー４は、全部又は一部が光を透過する部材から構成されており、合成樹脂材料であるポリカーボネートにより構成されている。ただし、カバー４は、大量に安く生産することができる押出成形等で成形ができる材料であれば、ポリカーボネートに限らず他の合成樹脂材料（例えば、ＡＢＳ樹脂、アクリル樹脂）でも良い。
【００３２】
図２に示すように、カバー４の内部には、平面状で細長い基板５が取り付けられている。基板５の下面には、複数のＬＥＤ６が、等間隔に配置され固定されている。基板５は、電源線に接続されており（図示せず）、電力が基板５に供給されることでＬＥＤ６が発光する。基板５に設けられるＬＥＤ６の個数は、必要とされる照度、使用する照明器具本体の寸法等に応じて適宜決定すればよい。
【００３３】
〔ソケットＳ〕
次にソケットＳについて説明をする。なお、図４（ａ）は、ソケットＳが照明器具Ｌに取り付けられた状態を示す正面図であり、図４（ｂ）は、図４（ａ）の矢印ｂより矢視した状態を示す図であり、図４（ｃ）は、図４（ａ）をｃ−ｃ線で切断した断面図である。同様に、図５（ａ）は、ソケットＳが照明器具Ｌに取り付けられた状態を示す正面図であり、図５（ｂ）は、図５（ａ）の矢印ｄより矢視した状態を示す図であり、図５（ｃ）は、図５（ａ）をｅ−ｅ線で切断した断面図である。なお、ソケットＳの説明の便宜上必要となる口金ピン３は、図４及び５において二点鎖線でその一部が示されている。
【００３４】
ソケットＳは、ＬＥＤランプ１を電気回路に接続するための端子を有する部品であり、照明器具Ｌの端板に取り付けられている。ソケット本体１０は、図４（ａ）に示すように左右対称の変形した略Ｕ字形状であり、その内部に回転子２０や端子４０等を備え、上が矩形に下が半円形形状に形成された筐体である。ソケット本体１０は、電気的絶縁性を備えた材料で形成されていれば良く、例えば、ポリブチレンテレフタレート（ＰＢＴ）、ポリカーボネイト（ＰＣ）、ポリプロピレン（ＰＰ）又はユリア樹脂等の合成樹脂から形成されている。
【００３５】
ソケット本体１０には、図示していないが電源線引出穴が形成され、天井面等より引き出された電源線が内部に取り付けられた端子４０に接続されている。図４（ａ）又は５（ａ）に示すように、ソケット本体１０は、その前面１０ｆにＬＥＤランプ１の口金ピン３が挿入される略円形状に開口された開口部１１が形成されている。ソケット本体１０は、その裏面１０ｂから開口部１１側に向かって突出するように略円筒形状に形成され、回転子２０を回転自在に支持するための支持軸５０が形成されている。支持軸５０は、口金ピン３が挿入できるような幅に切り欠かれた、支持軸切欠６０が形成されている。
【００３６】
支持軸切欠６０は、図４（ａ）又は４（ｂ）に示すように、ソケット切欠３０と連なるように、上方向から下方向にかけて支持軸５０の中央部を切り欠いて形成されている。支持軸５０は、図４(ａ）又は図５（ａ）に示すように、開口部１１において、中心線ＣＬを挟み対向する対称位置に半円筒形状に形成されている。支持軸５０には、開口部１１の中心である中心点Ｏ１を中心にソケット本体１０の内部において回転する回転子２０が装着されている。回転子２０は、図４(ｃ）又は図５(ｃ）に示すように、内径が支持軸５０の外径と同一又はやや大きい略環状形状に形成されている。
【００３７】
回転子２０は、図４(ｃ）又は図５(ｃ）に示すように、ソケット本体１０の内部で支持軸５０を中心に回転する回転子本体２１と、回転子本体２１と比較して外径が拡径されて略環状形状に形成されている回転子環状部２２とから構成されている。回転子環状部２２は、図４(ａ）又は図５（ａ）に示すように、外径が開口部１１の内径と同一又はやや小さく形成され、開口部１１の一部を覆うように形成されている。回転子２０は、ＬＥＤランプ１の回転に合わせて、図４（ａ）又は５（ａ）における時計回り方向（α方向）又は図４（ａ）又は５（ａ）における反時計回り方向（β方向）に回転する。
【００３８】
回転子２０には、口金ピン３が挿入され、かつ、一組の口金ピン３が各々配置される一組の回転子切欠２３が形成されている。回転子切欠２３は、図４(ａ）に示すように、支持軸切欠６０と連なるように回転子２０の２箇所を切り欠いて形成されている。回転子切欠２３は、図４(ｃ）に示すように、差込状態において、口金ピン３が各々配置されるように回転子本体２１及び回転子環状部２２を切り欠いて形成されている。
【００３９】
図４（ａ）に示すように、ソケット本体１０には、その外周面から開口部１１にかけて切り欠くようにソケット切欠３０が形成されている。ソケット切欠３０は、口金ピン３をソケット本体１０の外周面側から回転子切欠２３に挿入するための挿入口であり、支持軸切欠６０と連なるように形成されている。
【００４０】
図５（ａ）に示すように、ソケット本体１０には、電源線に接続され、口金ピン３の周面に接触することで、ＬＥＤランプ１に電流を流すための給電用の端子４０が一組み取り付けられている。端子４０は、開口部１１を上方向から下方向にかけて跨ぐようにソケット本体１０の内部に配置されている。端子４０は、図４(ａ)又は（ｃ）に示すように、ソケットＳが差込状態のとき、口金ピン３と接触しないように、ソケット本体１０の内部において、回転子環状部２２に覆われる位置に配置されている。
【００４１】
端子４０は、図５（ａ）又は（ｃ）に示すように、ソケットＳが固定状態のとき、口金ピン３と接触するように、ソケット本体１０の内部において、中心線ＣＬを挟み対向する位置に１個ずつ取り付けられている。端子４０は、バネ性を有する板バネで形成されており、弾性変形することで口金ピン３と接触するように口金ピン３のピン間隔と同一又は略同一の間隔になるように配置されている。
【００４２】
〔留め具１００〕
次に留め具１００について説明する。なお、図６（ａ）に示すように、留め具１００の説明において、インサートナット１３０の雌ネジ部１３２の中心を通る軸線と直交する平面上の一の線を第一軸線Ｌ１とし、これと平行で一組の貫通孔１１１の中心を通る軸線を第二軸線Ｌ２として説明する。貫通孔１１１と貫通孔１１１の中心を結ぶ軸線の中点を揺動中心点Ｏ２として説明する。また、図６（ｂ）に示すように、留め具１００において、揺動中心点Ｏ２を通り、留め具１００をＬＥＤランプ１に取り付けたとき、ＬＥＤランプ１の長手方向の軸線と一致する軸線を第三軸線Ｌ３として説明する。さらに、座ぐり穴１３１と雌ネジ部１３２の中心を通る同一の軸線を第四軸線Ｌ４として説明する。
【００４３】
図６に示すように、留め具１００は、ソケットＳに固定されているＬＥＤランプ１を一般需用者が容易に取り外すことができないように規制する部品である。留め具１００は、差込部１１０、被覆部１２０及びインサートナット１３０とから構成され、これにネジ体１４０をねじ込んで使用される。留め具１００は、インサート成形により、金型内に挿入したインサートナット１３０の周りに樹脂を注入して製造され、差込部１１０と被覆部１２０とが一体に成形されている。留め具１００は、正面から見ると略矩形形状に形成され、側面から見ると、略Ｌ字形状に凸状に出っ張るように形成されている。
【００４４】
図６に示すように、留め具１００は、電気的絶縁性を備えた材料で形成されていれば良く、例えば、ポリカーボネイト（ＰＣ）等の合成樹脂から形成されている。差込部１１０は、ソケットＳとＬＥＤランプ１の口金２の隙間に差し込めるように薄く形成された略長方形形状の平板である。差込部１１０は、一方の端部から他方の端部にかけて先細になるようにテーパに形成されている。差込部１１０には、一方の側に被覆部１２０が形成され、他方の側に一組の貫通孔１１１が形成されている。
【００４５】
図６(ａ）に示すように、一組の貫通孔１１１は、Ｇ１３口金である口金２に取り付けられた一組の口金ピン３が差し込めるように円形に形成された貫通孔である。貫通孔１１１は、その中心が第一軸線Ｌ１と略平行な第二軸線Ｌ２上に配置され、左右対称になるように差込部１１０に形成されている。本例において、一組の貫通孔１１１は、口金ピン３を差し込めるように、その中心間の距離が１３．００ｍｍであり、貫通孔１１１の径の寸法が３．３０ｍｍである。
【００４６】
図６（ｂ）に示すように、被覆部１２０は、ソケット本体１０の外周の一部を覆うための部材であり、差込部１１０の一方の側に所定の角度をなすように形成されている。被覆部１２０は、差込部１１０に対して略９０度の位置に配置され、差込部１１０の一方の側の辺を長辺とする細長い略直方体形状に形成されている。被覆部１２０は、差込部１１０の一方の端部から他方の側に向かい所定の肉厚を有しており、その表面１２１側の略中央に座ぐり穴１３１が形成され、その裏面１２２側にインサートナットが取り付けられている。
【００４７】
図６（ｂ）に示すように、インサートナット１３０には、雄ネジ部１４１がねじ込まれる雌ネジ部１３２が形成されている。インサートナット１３０は、雌ネジ部１３２の中心を通る軸線が、座ぐり穴１３１の中心を通る軸線と同一の軸線上に配置されるように被覆部１２０に取り付けられている。つまり、座ぐり穴１３１と雌ネジ部１３２とは、その中心が同一の軸線である第四軸線Ｌ４を通過するように被覆部１２０に配置されている。また、第四軸線Ｌ４は、第二軸線Ｌ２と第三軸線Ｌ３が交わる平面と直交するように配置されている。
【００４８】
図６（ｂ）に示すように、雌ネジ部１３２は、ネジ体１４０をねじ込み、被覆部１２０に固定するための雌ネジである。ネジ体１４０は、ＬＥＤランプ１の回転を規制する回転規制部材であり、電気的絶縁性を備えた材料で形成されたネジである。ネジ体１４０は、その長さ寸法が被覆部１２０の肉厚より長く形成されているものを使用する。本例では、ネジ体１４０は１０ｍｍの長さであり、被覆部１２０の肉厚は６．５ｍｍである。
【００４９】
〔留め具の取付方法１〕
次に、本発明の留め具の取付方法を図２、３又は７に基づいて説明する。図７は、留め具をＬＥＤランプに取り付ける状態を示す正面図及び側面図である。図２又は７において示すように、ＬＥＤランプ１がソケットＳに取り付けられた状態で、ソケットＳ側からＬＥＤランプ１側に向かう矢印ＩＳ方向を「内側方向」とし、その逆方向を示す矢印ＯＳ方向を「外側方向」として説明する。
【００５０】
図７に示すように、ＬＥＤランプ１の長手方向の軸線を第五軸線Ｌ５とし、ソケットＳの開口部１１の開口と底の中心を結ぶ中心軸線を第六軸線Ｌ６として説明をする。図７（ａ）に示すように、まず、ソケットＳの回転子２０を回転させて、ソケット切欠３０、回転子切欠２３及び支持軸切欠６０が連なっている開通状態にする。開通状態にされたソケットＳには、口金ピン３を通すことができるピン通路７０が開通している。ＬＥＤランプ１は、口金ピン３が上下に並んだ状態に配置する。
【００５１】
次に、図７（ｂ）に示すように、口金ピン３を留め具１００の貫通孔１１１に差し込み、留め具１００をＬＥＤランプ１に取り付ける。留め具１００は、貫通孔１１１が上下に配置され、被覆部１２０が外側方向（矢印ＯＳ方向）に向くように配置されてＬＥＤランプ１に取り付ける。このとき、留め具１００の第三軸線Ｌ３（図６参照）とＬＥＤランプ１の第五軸線Ｌ５が一致する。次に、上下に並んだ口金ピン３をピン通路７０に通し、留め具１００を取り付けたＬＥＤランプ１をソケットＳに差し込む。
【００５２】
図７（ｃ）に示すように、上下に並んだ口金ピン３は、ソケットＳに挿入され、一組の回転子切欠２３に各々配置された状態になる。留め具１００の第三軸線Ｌ３、ＬＥＤランプ１の第五軸線Ｌ５及びソケットの第六軸線Ｌ６が、同一軸線上に位置する。このとき、被覆部１２０は、ソケット切欠３０から時計回りに９０度回転したソケット本体１０の外周面上に位置する。次に、留め具１００を取り付けたＬＥＤランプ１を、ソケットＳに差し込まれた状態で第五軸線Ｌ５を軸にして反時計回り方向（β方向）に９０度回転させる。
【００５３】
図７（ｄ）に示すように、ＬＥＤランプ１を回転させると、留め具１００は第三軸線Ｌ３を軸にして反時計回り方向（β方向）に９０度回転する。このとき、被覆部１２０は、ＬＥＤランプ１の回転に合わせて第三軸線Ｌ３を中心軸として揺動してソケット切欠３０を覆う。固定部１００の第一軸線Ｌ１と第二軸線Ｌ２とは平行なので、差込状態のときは雌ネジ部１３２がソケット切欠３０と対向する位置になく、固定状態のときは、雌ネジ部１３２がソケット切欠３０と対向する位置にくる。
【００５４】
つまり、被覆部１２０が揺動すると、雌ネジ部１３２は、ソケット切欠３０と対向する位置で連なった状態になり、第四軸線Ｌ４は、ソケット切欠３０側を向くように配置される。ＬＥＤランプ１を回転させると、回転子２０は第六軸線Ｌ６を軸にして反時計回り方向（β方向）に９０度回転する。このとき、口金ピン３は、左右に並んだ状態に配置されて端子４０に接触し、ＬＥＤランプ１に電流が流れる。
【００５５】
図７（ｄ）に示すように、留め具１００は、貫通孔１１１に口金ピン３が差し込まれて吊されているため、ソケットＳとＬＥＤランプ１の間の隙間から抜け落ちない。次にネジ体１４０を被覆部１２０に取り付けられたインサートナット１３０にねじ込む。図７(ｅ）に示すように、ネジ体１４０は、その雄ネジ部１４１がインサートナット１３０の雌ネジ部１３２にねじ込まれることで留め具１００に固定される。ねじ込まれたネジ体１４０は、その雄ネジ部１４１が被覆部１２０の他方の側より突出し、ソケット切欠３０に挿入される。
【００５６】
図２又は３に示すように、ソケット切欠３０に雄ネジ部１４１が挿入されると、ＬＥＤランプ１は、時計回り方向（α方向）及び反時計回り方向（β方向）への回転が規制される。つまり、一般需用者がＬＥＤランプ１を取り外すために回転させようとしても、雄ネジ部１４１がソケット切欠に引っ掛かるためソケットＳから容易に取り外せない。一般需用者が誤って対応しないＧ１３ＬＥＤランプや従来の蛍光ランプに取り替えることができない。
【００５７】
また、留め具１００は、ＬＥＤランプ１を締め付けることなく、固定することができるので、ＬＥＤランプ１を破損させてしまうおそれがない。前記差込部１１０、被覆部１２０、及びネジ体１４０は、電気的絶縁性を備えた部材で形成されているため作業中に感電等をすることなく安全に作業が行える。なお、本例おいては、１つのソケットに１つの留め具１００を取り付ける状態について説明したが、両端の２つのソケットＳにそれぞれ留め具１００を取り付けても良いことはいうまでもない。
【００５８】
〔実施の形態２〕
次に実施の形態２について説明する。本発明の実施の形態１では、留め具１００は、貫通孔１１１を２つ形成したものを用いて説明を行なった。しかし、留め具１００が、ソケットＳとＬＥＤランプ１の間の隙間から抜け落ちることがなく、ＬＥＤランプ１の回転に合わせて回転するのであれば、どのような形状の貫通孔であっても良いことはいうまでもない。例えば、図８に示すように、貫通孔２１１は、口金ピン３を差し込めるように、その間の距離にあわせた１つの長円形や楕円形等でも良いことはいうまでもない。
【００５９】
〔実施の形態３〕
以上説明したように、実施の形態１及び２は、ソケットに留め具を取り付けてＬＥＤランプの取り外しを規制するものであるが、次にソケットに一体に留め具が形成されている実施の形態３を説明する。なお、これから説明を行う実施の形態３では、前述した実施の形態１と同一の部位には、同一の符号を付与して詳細な説明を省略し、異なる部位を中心に詳細な説明を行う。
【００６０】
図９（ａ）は、回転子切欠３２３とソケット切欠３３０とが連なっている状態のソケットＳ２の正面図であって、図９（ｂ）は、図９（ａ）を矢印ｆより矢視した状態を示す図であり、図９（ｃ）は、図９（ａ）を矢印ｇより矢視した状態を示す図である。図１０（ａ）は、回転子切欠３２３とソケット切欠３３０とが連なっていない状態のソケットＳ２の正面図であって、図１０（ｂ）は、図１０（ａ）を矢印ｈより矢視した状態を示す図であり、図１０（ｃ）は、図１０（ａ）矢印ｉより矢視した状態を示す図である。図１１は、ソケットＳ２にＬＥＤランプを取り付ける状態を示す正面図及び側面図である。
【００６１】
ソケットＳ２は、形状、材質、構成、機能等は、実施の形態１のソケットＳとほぼ同様である。つまり、ソケット本体３１０、ソケット切欠３３０、端子３４０、支持軸３５０、支持軸切欠３６０及びピン通路３７０の構成は、実施の形態１のソケット本体１０、ソケット切欠３０、端子４０、支持軸５０、支持軸切欠６０及びピン通路７０の構成とほぼ同様である。よって、実施の形態１の回転子２０と異なる構成の回転子３２０について説明する。
【００６２】
回転子３２０には、実施の形態１の回転子とほぼ同様の構成であり、回転子本体（図示せず）と回転子環状部３２２から構成されている。回転子環状部３２２は、回転子切欠３２３によって２つに切り欠かれており、その一方には、留め具４００が取り付けられている。留め具４００は、実施の形態１の留め具１００とほぼ同様であり、平板部４１０、被覆部４２０及びインサートナット４３０とから構成され、これにネジ体４４０をねじ込んで使用される。回転子３２０と留め具４００とは、図９及び図１０に示すように、一つの回転子環状部３２２と平板部４１０とが一体に形成されている。
【００６３】
平板部４１０は、ソケット本体３１０とＬＥＤランプ１の口金２の隙間で揺動移動できるように薄く形成された略長方形形状の平板である。平板部４１０には、一方の側に被覆部４２０が形成されている。図９（ｂ）に示すように、被覆部４２０は、ソケット本体３１０の外周の一部を覆うように配置され、平板部４１０の一方の側に所定の角度をなすように形成されている。被覆部４２０は、平板部４１０に対して略９０度の位置に配置され、平板部４１０の一方の側の辺を長辺とする細長い略直方体形状に形成されている。
【００６４】
被覆部４２０に形成される座ぐり穴４３１、被覆部４２０に取り付けられるインサートナット４３０の構成は、それぞれ実施の形態１の座ぐり穴１３１とインサートナット１３０と同様であるので説明は省略する。また、ネジ体４４０は、実施の形態１のネジ体４１０と同様であるので説明は省略する。
【００６５】
〔ソケットＳ２の使用方法〕
次に、本発明の実施の形態３のソケットＳ２の使用方法を図９、１０及び１１に基づいて説明する。図１１は、ソケットＳ２にＬＥＤランプを取り付ける状態を示す正面図及び側面図である。図１１に示すように、ＬＥＤランプ１の長手方向の軸線を第五軸線Ｌ５とし、ソケットＳ２の開口部３１１の開口と底の中心を結ぶ中心軸線を第七軸線Ｌ７として説明をする。図１１（ａ）に示すように、まず、ソケットＳ２の回転子３２０を回転させて、ソケット切欠３３０、回転子切欠３２３及び支持軸切欠３６０が連なっている開通状態にする。
【００６６】
開通状態にされたソケットＳ２には、口金ピン３を通すことができるピン通路３７０が開通している。このとき、被覆部４２０は、ソケット切欠３３０から時計回りに９０度回転したソケット本体３１０の外周面上に位置する。ＬＥＤランプ１は、口金ピン３が上下に並んだ状態に配置する。次に、上下に並んだ口金ピン３をピン通路３７０に通し、ＬＥＤランプ１をソケットＳ２に差し込む。図１１（ｂ）に示すように、上下に並んだ口金ピン３は、ソケットＳ２に挿入され、一組の回転子切欠３２３に各々配置された状態になる。ＬＥＤランプ１の第五軸線Ｌ５及びソケットＳ２の第六軸線Ｌ７が、同一軸線上に位置する。
【００６７】
次に、ＬＥＤランプ１を、ソケットＳ２に差し込まれた状態で第五軸線Ｌ５を軸にして反時計回り方向（β方向）に９０度回転させる。図１１（ｂ）に示すように、ＬＥＤランプ１を回転させると、回転子３２０と共に留め具４００は第五軸線Ｌ５を軸にして反時計回り方向（β方向）に９０度回転する。このとき、被覆部４２０は、ＬＥＤランプ１の回転に合わせて第五軸線Ｌ５を中心軸として揺動してソケット切欠３３０を覆う。被覆部４２０が揺動すると、雌ネジ部４３２は、図１１（ｃ）に示すように、ソケット切欠３３０と対向する位置で連なった状態になる。
【００６８】
次にネジ体４４０を被覆部４２０に取り付けられたインサートナット４３０にねじ込む。図１１(ｄ）に示すように、ネジ体４４０は、その雄ネジ部４４１がインサートナット４３０の雌ネジ部４３２にねじ込まれることで留め具４００に固定される。ねじ込まれたネジ体４４０は、その雄ネジ部４４１が被覆部４２０の他方の側より突出し、ソケット切欠３３０に挿入される。
【００６９】
図１１（ｄ）に示すように、ソケット切欠３３０に雄ネジ部４４１が挿入されると、ＬＥＤランプ１は、時計回り方向（α方向）及び反時計回り方向（β方向）への回転が規制される。つまり、一般需用者がＬＥＤランプ１を取り外すために回転させようとしても、雄ネジ部４４１がソケット切欠に引っ掛かるためソケットＳから容易に取り外せない。
【００７０】
以上、本発明の実施の形態について説明を行ったが、本発明はこの実施の形態に限定されることはない。本発明の目的、趣旨を変更しない範囲内で変更が可能であることはいうまでもない。本発明の実施の形態では、差込部１１０及び平板部４１０は、略矩形形状の平板であることを前提に説明をしたが、ＬＥＤランプ１とソケットＳとの間に差し込めるのであれば、どのような形状でも良いことはいうまでもない。
【００７１】
本発明の実施の形態では、照明器具Ｌは、既設の蛍光ランプ等を使用していた既設の照明器具から安定器を外して、ソケットＳに直接電流を流せる工事を行なった照明器具Ｌで説明をした。しかし、このような工事を行なったものではなく、他の工事を行なったものでも良いことはいうまでもない。同様に、本発明の実施の形態では、ＬＥＤランプ１は、交流電流を直流電流に変換して、電圧、電流をＬＥＤ６の仕様に合わせる回路を内蔵しているランプである。しかし、行なった工事にあわせたランプであれば良いことはいうまでもない。
【符号の説明】
【００７２】
Ｌ  …  照明器具
Ｓ  …  ソケット
１００  …  留め具
１１０  …  差込部
１２０  …  被覆部
１３０  …  インサートナット
１４０  …  ネジ体
【図１】
2014143157.tif 000003
【図２】
2014143157.tif 000004
【図３】
2014143157.tif 000005
【図４】
2014143157.tif 000006
【図５】
2014143157.tif 000007
【図６】
2014143157.tif 000008
【図７】
2014143157.tif 000009
【図８】
2014143157.tif 000010
【図９】
2014143157.tif 000011
【図１０】
2014143157.tif 000012
【図１１】
2014143157.tif 000013